(57)【要約】【課題】  ガード部の高さ調整が可能であるとともに、ガード部に負荷が掛かってもその傾斜を抑制できるベッドガードの提供を目的とする【解決手段】  ベッド側面から上方に起立するガード部１１と、このガード部１１の下端に設けられマットレス下面に差し込まれることでガード部１１を前記ベッド側面に固定するマットレス差込部１２とを有するベッドガード１において、マットレス差込部１２とガード部１１とはヒンジ１３によって折りたたみ自在に連結され、ガード部１１は、前記ベッド側面に起立する支柱１１１と、この支柱１１１の長さを伸縮調整する長さ調整手段とを有する。マットレス差込部１２は、ガード部１１の両端部下端から伸びる二つのアーム１２１，１２１を有し、この二つのアーム１２１，１２１を互いに接近方向に湾曲又は屈曲させる。【選択図】  図１
2015136600.tif 000002
【特許請求の範囲】
【請求項１】
ベッド側面から上方に起立するガード部と、このガード部の下端に設けられマットレス下面に差し込まれることで前記ガード部を前記ベッド側面に固定するマットレス差込部とを有するベッドガードにおいて、
前記マットレス差込部と前記ガード部とは折りたたみ自在に連結され、
前記ガード部は、前記ベッド側面に起立する支柱と、この支柱の長さを伸縮調整する長さ調整手段とを有すること、
を特徴とするベッドガード。
【請求項２】
前記マットレス差込部は、前記ガード部の両端部下端から伸びる二つのアームとこの二つのアームの先端に形成された幅広部とを有し、前記二つのアームを互いに接近方向に湾曲又は屈曲させたことを特徴とする請求項１に記載のベッドガード。
【請求項３】
記幅広部の全体が前記ガード部の両端よりも内側に位置するようにしたことを特徴とする請求項２に記載のベッドガード。
【請求項４】
前記長さ調整手段は、前記マットレス差込部に連結された基部とこの基部に対して摺動する伸縮部とを有する前記支柱と、前記伸縮部を前記基部に対して任意の位置又は予め設定された位置に固定する固定手段とを有することを特徴とする請求項１〜３のいずれかに記載のベッドガード。
【請求項５】
前記固定手段が、前記伸縮部又は前記基部のいずれか一方の伸縮方向に複数形成された孔と、前記伸縮部又は前記基部のいずれか他方に出没自在に設けられ、前記孔と係合する係合部材とを有することを特徴とする請求項１〜４のいずれかに記載のベッドガード。
【発明の詳細な説明】
【技術分野】
【０００１】
本発明は、ベッド上の人や布団の落下を防ぐことができるベッドガードに関し、特にベッドガードの高さを容易に調整できるとともに、ガード部の高さを高くして負荷を作用させた場合にもガード部の傾きを抑制できるベッドガードに関する。
【背景技術】
【０００２】
ベッドに載置されたマットレスの下にマットレス差込部を差し込み、このマットレス差込部から折り畳み自在に起立するガード部をベッドの側面に位置させるようにして、ベッド上の人や布団の落下を防ぐベッドガードが知られている（例えば特許文献１〜３参照）。
これら文献に記載のベッドガードは、マットレスの側部に起立する壁面状又は枠状のガード部と、このガード部の両端部下端から水平方向に延出し、ベッドのマットレス下面に差し込まれるコ字形状のマットレス差込部とから構成されている。そして、マットレス差込部に対してガード部を回動して倒すことで、不使用時にはベッドガードを平面状にし、収納時に嵩張らないようにしている。
【先行技術文献】
【特許文献】
【０００３】
【特許文献１】実用新案登録第３１０１２４４号公報
【特許文献２】特開２００５−１７７１９２号公報
【特許文献３】特許第４９６０２８１号公報
【発明の開示】
【発明が解決しようとする課題】
【０００４】
ところで、上記文献１，２に記載のベッドガードでは、マットレス差込部が棒状であるためマットとの接触面積が小さく、ガード部に少し大きな負荷が作用するとマットを部分的に大きく凹ませてしまい、ガード部を傾かせてしまうという問題がある。そのため文献３のベッドガードでは、棒状のアームの先端にアヒルの足のような幅広部を設けて、最も大きな力が作用する先端部でマットとの接触面積を大きくすることでマットの凹みを抑制し、多少大きな負荷がガード部に作用してもガード部があまり傾かないようにしている。
【０００５】
また、上記文献に記載のベッドガードはいずれも高さが固定であるため、例えば乳幼児の成長や、ベッドを使用する利用者の身長に応じた最適なベッドガードに高さを調整することができないという問題がある。そのため、高さの合わないベッドガードをそのまま使用し続けるか、高さの異なるベッドガードに交換するする必要があったが、前者は落下の危険があり後者は費用が嵩むという問題がある。なお、上記文献のベッドガードでは、ガード部の高さを高くするほど負荷が作用したときのガード部の傾斜が大きくなることから、自ずとその高さには制限がある。
【０００６】
本発明は、上記の問題に鑑みてなされたもので、ガード部の高さ調整が可能であるとともに、従来のベッドガードよりガード部の高さを高くしてもガード部の傾斜を抑制することができるベッドガードの提供を目的とする。
【課題を解決するための手段】
【０００７】
上記目的を達成するため請求項１に記載の発明は、ベッド側面から上方に起立するガード部と、このガード部の下端に設けられマットレス下面に差し込まれることで前記ガード部を前記ベッド側面に固定するマットレス差込部とを有するベッドガードにおいて、前記マットレス差込部と前記ガード部とは折りたたみ自在に連結され、前記ガード部は、前記ベッド側面に起立する支柱と、この支柱の長さを伸縮調整する長さ調整手段とを有する構成としてある。
この構成によれば、ガード部の高さを自在に調整することができ、乳幼児の成長や利用者の身長に合わせた最適なガード部の高さとすることができる。
【０００８】
請求項２に記載するように、前記マットレス差込部は、前記ガード部の両端部下端から伸びる二つのアームとこの二つのアームの先端に形成された幅広部とを有し、前記二つのアームを互いに接近方向に湾曲又は屈曲させるとよい。
幅広部を設けるとともにアームを屈曲又は湾曲させることで、アームによるマットの凹みが抑制され、ガード部に負荷がかかったときのガード部の傾斜を抑制できる。
この場合請求項３に記載するように、前記幅広部の全体が前記ガード部の両端よりも内側に位置するようにするとよい。このようにすれば、ベッドガードをベッドの側面に沿って複数設ける場合でも、隣接するベッドガードの幅広部が互いに干渉することがない。
【０００９】
請求項４に記載するように、前記長さ調整手段は、前記マットレス差込部に連結された基部とこの基部に対して摺動する伸縮部とを有する前記支柱と、前記伸縮部を前記基部に対して任意の位置又は予め設定された位置に固定する固定手段とを有する構成としてもよく、請求項５に記載するように、前記固定手段が、前記伸縮部又は前記基部のいずれか一方の伸縮方向に複数形成された孔と、前記伸縮部又は前記基部のいずれか他方に出没自在に設けられ、前記孔と係合する係合部材とを有する構成としてもよい。
【発明の効果】
【００１０】
本発明によれば、ガード部の高さが調整自在であるので、乳幼児の成長や、ベッドを使用する利用者の身長に応じた最適なベッドガードに高さを調整することができる。また、ガード部に負荷が作用してもガードが傾きにくい構成であるので、ガード部の高さを従来よりも高くすることができ、かつ、安全である。
【発明を実施するための最良の形態】
【００１１】
本発明の好適な実施形態について、図面を参照しつつ詳細に説明する。
図１は、本発明のベッドガードの一実施形態にかかり、その構成を説明する斜視図、図２は、長さ調整機構の構成を説明する図１のＡ部の部分拡大図である。
ベッドガード１は、図示しないベッドの側面から上方に起立するガード部１１と、このガード部１１の下端に設けられマットレスＭの下面に差し込まれるマットレス差込部１２と、このマットレス差込部１２とガード部１１とを折り畳み自在に連結するヒンジ部１３とを有する。
【００１２】
ガード部１１は、ヒンジ部１３に立設されたパイプ状の支柱１１１と、この支柱１１１の中空孔に嵌挿され支柱１１１に対して伸縮自在な枠体１１２とを有している。枠体１１２は棒状の部材を下向きコの字状に折り曲げて形成され、左右の両端が左右の支柱１１１，１１１に嵌挿されることで、左右の支柱１１１，１１１１を連結している。また、枠体１１２には布製の壁面シート１１３が取り付けられていて、枠体１１２とともに支柱１１１に対して昇降自在である。壁面シート１１３の両端はその一部を切除して切欠部が形成され、その切欠部を覆うようにカバー１１３ａが開閉自在に設けられている。カバー１１３ａは、面ファスナーやスライドファスナー、ボタン等で開閉できるようにするとよい。
【００１３】
なお、壁面シート１１３は、その全体を枠体１１２に取り付けて、枠体１１２と壁面シート１１３とが一体になって昇降できるようにしてもよいが、壁面シート１１３の下端を支柱１１１に固定するとともに、壁面シート１１３の下部に弛み部を設けて、壁面シート１１３を上昇させたときにこの弛み部が伸びるようにするとよい。このようにすれば、マットレスＭの上面に対する壁面シート１１３の下端の高さが変化せず、壁面シート１１３を枠体１１２とともに上昇させてもマットレスＭの上面と壁面シート１１３との間の隙間が拡がらないという利点がある。
【００１４】
上記構成の枠体１１２は、枠体１１２を支柱１１１に嵌装した嵌装部分（符号Ａで示す部分）で、固定手段によって支柱１１１に位置決めして固定される。この固定手段によって支柱１１１に対する枠体１１２の固定位置を選択することで、ガード部１１の高さをマットレスＭの上面から適切な高さに調整することができる。
【００１５】
支柱１１１に対して伸縮自在に嵌装された枠体１１２を位置決めして固定する固定手段としては公知の種々のものを用いることができる。例えば、支柱１１１の上端にテーパ螺旋を形成し、このテーパ螺旋にナットを螺入することで支柱１１１１の上端の開口を縮径方向に付勢し、これによって枠体１１２を締め付け固定するもの、支柱１１１の外周面から枠体まで貫通する螺旋孔を形成して、この螺旋孔にボルトを差し込んで支柱１１１と枠体１１２を連結固定するもの、支柱の外周面から枠体まで貫通する貫通孔を形成し、この貫通孔にピンを差し込んで固定するものなどを挙げることができる。
【００１６】
この実施形態では、図２に示すような固定手段を採用している。すなわち、中実棒状の枠体１１２の先端に図示するような段付き孔１１２ａを形成し、この段付き孔１１２ａに圧縮コイルばね（以下、「ばね」と記載する）１２ｃを介してピン１１２ｂを挿入する。ピン１１２ｂのばね１２ｃと接触する側にフランジを形成し、このフランジが段付き孔１１２ａの段付き部分に当接することで、ピン支柱１１１に枠体１１２を嵌め込んだ状態でピン１１２ｂが段付き孔１１２ａから脱出しないようにする。
【００１７】
一方、支柱１１１の上端外周面には、枠体１１２の伸縮方向に沿って一定間隔又は不等間隔で複数の貫通孔１１１ａが形成されていて、ピン１１２ｂの頭部と係合するようになっている。そして、ピン１１２ｂの頭部が貫通孔１１１ａに係合することで、支柱１１１に対する枠体１１２の伸縮が規制され、当該位置で枠対１１２が支柱１１１に対して固定される。
ピン１１２ｂの頭部を半球状に形成しておけば、ピン１１２ｂをばね１１２ｃの付勢力に抗して支柱１１１の貫通孔側に押し込むことで、ピン１１２ｂのロックが解除されて枠体１１２の昇降が可能になる。ピン１１２ｂを係合させる貫通孔１１１ａを適宜に選択することで、ガード部１１の高さを適切な高さに調整することができる。
【００１８】
ヒンジ部１３は、マットレス差込部１２とガード部１１とを折り畳み自在に連結して、使用時にはマットレス差込部１２とガード部１１とをほぼ垂直状態で固定し、収納時にはマットレス差込部１２をガード部１１の壁面シート１１３に沿って折り畳むことができるようにするものであればその構成は限定されない。例えば、上記の特許文献３に記載したベッドガードのヒンジ部と同様のものを用いてもよい。このようなヒンジ部１３を用いることで、使用時にはガード部１１がベッドの側面からマットレスＭの上方まで立ち上がり、布団のずり落ちや乳幼児その他のベッドの利用者の落下を防止するとともに、収納時には平坦状になって嵩張らずに収納することができる。
【００１９】
図３は、マットレス差込部１２の形態を説明する平面図である。
マットレス差込部１２は、ヒンジ部１３からガード部１１に対して側面視（図１のベッドガード１を右又は左方向から視た状態）してほぼ垂直方向に延びるアーム１２１と、このアーム１２１の先端に形成された幅広部１２２とを有している。
二つのアーム１２１，１２１は、平面視（図３参照）してヒンジ部１３から互いに接近する斜め方向に延びている。幅広部１２２はガード部１１の最大幅（図３において符号Ｌで示す）内に幅広部１２２の全体が収容されるようにするのが好ましい。このようにすることで、ベッドガード１をベッド側面に複数設ける場合に、隣接するベッドガード１，１のガード部１１，１１を隙間無く密着させることができる。
【００２０】
アーム１２１の形態は、図３（ａ）に示すように斜め方向に直線状に延びるものであってもよい。
このようにアーム１２１を斜め方向に延ばしたり湾曲状とすることで、ヒンジ１３から真っ直ぐ延ばした場合よりもガード部１１の傾きを抑制することができる。すなわち、ガード部１１に負荷がかかったときにマットレスＭの底面の凹みを抑制することができるわけである。これは、アーム１２１を真っ直ぐに延ばした場合よりもアーム１２１の長さが長くなり、マットＭに接するアーム１２１の表面積が大きくなること、マットレスＭに対するアーム１２１の投影面積（図３中符号Ｂで示す）が大きくなること、マットレスＭを横断する方向だけでなく縦断する方向にも負荷が分散されること等の複合的な理由が要因と思われる。
特に、図３（ｂ）に示すようにアーム１２１を湾曲状とすることで、ガード部１１に負荷がかかったときのマットレスＭの凹み抑制効果が高くなる。
【００２１】
本発明の好適な実施形態について説明したが、本発明は上記の実施形態に限定されるものではない。
例えば、幅広部は図示のような三角形状のもの限らず、円形や楕円形、矩形など種々の形状のものを選択することができる。また、幅広部１２２は、ガード部１１に負荷がかかった場合に最も大きな力が作用するアーム１２１の先端に設けるのが好ましいが、アーム１２１の途中部位に設けてもよいし、先端から途中部位まで延びる長尺のものであってもよい。
【産業上の利用可能性】
【００２２】
本発明のベッドガード１は乳幼児が使用するベッド、高齢者や身体障害者及び病院の患者等が使用するベッドに広範に利用が可能だが、マットレスを使用するベッドであればこれらに限定されず、一般家庭やホテル及び旅館等の宿泊施設で使用されるベッドにも適用が可能である。
【図面の簡単な説明】
【００２３】
【図１】本発明のベッドガードの一実施形態にかかり、その構成を説明する斜視図である。
【図２】長さ調整機構の構成を説明する図１のＡ部の部分拡大図である。
【図３】マットレス差込部１２のアームの形態を説明する平面図である。
【図１】
2015136600.tif 000003
【図２】
2015136600.tif 000004
【図３】
2015136600.tif 000005